【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
ビームペアリンク(BPL)の指示を受信するステップであって、
前記BPLが、基地局(BS)送信ビームおよび対応するUE受信ビームを含む、ステップと、
前記BPLの前記UE受信ビームの関数である疑似コロケーション(QCL)インジケータまたはタグを導出し、前記導出されたQCLインジケータで前記BPLにタグ付けするステップと、
前記タグ付けされたBPLに関連する1つまたは複数のアクションを行うステップと
を含む、方法。
【請求項２】
前記1つまたは複数のアクションを行う前記ステップが、
前記タグ付けされたBPLの指示をBSに送信するステップ
を含む、請求項1に記載の方法。
【請求項３】
前記1つまたは複数のアクションを行う前記ステップが、
前記BPLに従ってシグナリングを受信するステップ
を含む、請求項1に記載の方法。
【請求項４】
前記1つまたは複数のアクションを行う前記ステップが、
前記タグ付けされたBPLの前記BS送信ビームのビーム精緻化を指示するダウンリンク送信を受信するステップと、
前記ビーム精緻化の間に、前記UE受信ビームを使用して、前記BS送信ビームの1個または複数の隣接ビームから送信されたシグナリングを受信するステップと、
前記BS送信ビームの前記隣接ビームのうちの1個または複数からの送信に関連する信号品質を判定するステップと、
前記判定された信号品質に少なくとも部分的に基づいて、前記タグ付けされたBPLの前記UE受信ビームに対応する推奨されるBS送信ビームをBSに指示するステップと
を含む、請求項1に記載の方法。
【請求項５】
前記1つまたは複数のアクションを行う前記ステップが、
前記タグ付けされたBPLの前記UE受信ビームのビーム精緻化を指示するダウンリンク送信を受信するステップと、
前記ビーム精緻化の間に、前記BPLの前記対応するUE受信ビームに隣接する1個または複数の受信ビームを介して前記BS送信ビームからシグナリングを受信するステップと、
前記UE受信ビームの前記隣接ビームのうちの1個または複数に関連する信号品質を判定するステップと、
前記判定された信号品質に少なくとも部分的に基づいて、前記タグ付けされたBPLの前記BS送信ビームに対応する前記UE受信ビームを更新するステップと
を含む、請求項1に記載の方法。
【請求項６】
前記更新されたUE受信ビームに応答して、異なるタグが必要とされるかどうかを判定するステップと、
前記異なるタグが必要とされるとの判定に応答して、前記異なるタグを計算するステップと、
前記異なるタグをBSに指示するステップと、
前記異なるタグを前記更新されたUE受信ビームおよび前記BS送信ビームに割り当てるステップと
をさらに含む、請求項5に記載の方法。
【請求項７】
前記異なるタグが、新しいタグまたは現在使用されているタグのうちの1つを含む、請求項6に記載の方法。
【請求項８】
前記タグ付けされたBPLに関連する前記1つまたは複数のアクションを行う前記ステップが、
新しいBPL、または前記新しいBPLと同じUE受信ビームを共有する確立されたBPLのうちの少なくとも1つに応答して、前記タグ付けされたBPLの指示をBSに送信するステップ
を含む、請求項1に記載の方法。
【請求項９】
前記タグ付けされたBPLに関連する前記1つまたは複数のアクションを行う前記ステップが、
タグを除去するためのメッセージ、および1つまたは複数のBPLに対するその現在の関連付けをBSから受信するステップと、
前記メッセージに応答して、前記除去されたタグを、1つまたは複数の新しいBPLへの割当てに利用できるようにするステップと
を含む、請求項1に記載の方法。
【請求項１０】
基地局(BS)によるワイヤレス通信のための方法であって、
ビームペアリンク(BPL)の指示を送信するステップであって、
前記BPLが、BS送信ビームおよび対応するユーザ機器(UE)受信ビームを含む、ステップと、
前記BPLに割り当てられた疑似コロケーション(QCL)インジケータまたはタグの指示を受信するステップであって、
前記QCLインジケータまたはタグは、前記UE受信ビームの関数である、ステップと、
前記タグ付けされたBPLに関連する1つまたは複数のアクションを行うステップと
を含む、方法。
【請求項１１】
次のi)からvi)のうちのいずれか1つを含む方法であって、
i)前記タグの前記指示を受信する前記ステップが、
前記タグ付けされたBPLの指示をUEから受信するステップ
を含む、
ii)前記1つまたは複数のアクションを行う前記ステップが、
前記BPLに従ってシグナリングを送信するステップ
を含む、
iii)前記1つまたは複数のアクションを行う前記ステップが、
前記タグ付けされたBPLの前記BS送信ビームのビーム精緻化を指示するダウンリンク割当てを送信するステップと、
前記ビーム精緻化の間に、前記BS送信ビームの1個または複数の隣接ビームを使用してシグナリングを送信するステップと、
前記タグ付けされたBPLの前記UE受信ビームに対応する更新されたBS送信ビームに対する推奨を受信するステップであって、前記更新されたBS送信ビームおよび前記対応するUE受信ビームに前記タグが割り当てられる、ステップと
を含む、
iv)前記1つまたは複数のアクションを行う前記ステップが、
前記タグ付けされたBPLの前記UE受信ビームのビーム精緻化を指示するダウンリンク割当てを送信するステップと、
前記ビーム精緻化の間に、前記BS送信ビームを使用してシグナリングを送信するステップと、
更新されたタグを受信するステップであって、前記更新されたタグは、新しいタグ、または前記タグ付けされたBPLの前記BS送信ビームに対応する古いタグであってよく、前記更新されたUE受信ビームおよび前記対応するBS送信ビームに前記タグまたは前記更新されたタグのうちの1つが割り当てられる、ステップと
を含む、
v)前記タグ付けされたBPLに関連する前記1つまたは複数のアクションを行う前記ステップが、
新しいBPL、または前記新しいBPLと同じUE受信ビームを共有する確立されたBPLのうちの少なくとも1つに応答して、前記タグ付けされたBPLの指示を受信するステップ
を含む、
vi)前記タグ付けされたBPLに関連する前記1つまたは複数のアクションを行う前記ステップが、
タグの除去、および1つまたは複数のBPLに対するその現在の関連付けをUEにシグナリングするステップであって、前記除去されたタグが、1つまたは複数の新しいBPLに対する今後の割当てのために利用可能である、ステップ
を含む、請求項10に記載の方法。
【請求項１２】
前記ii)において、前記タグがビーム指示を含む、請求項11に記載の方法。
【請求項１３】
前記iv)において、
前記更新されたUE受信ビームに応答して、前記更新されたタグに関する指示を送信するステップと、
前記更新されたUE受信ビームおよび前記BS送信ビームに割り当てられた、前記更新されたタグを受信するステップと
をさらに含む、請求項11に記載の方法。
【請求項１４】
ユーザ機器(UE)によるワイヤレス通信のための装置であって、
ビームペアリンク(BPL)の指示を受信するための手段であって、
前記BPLが、基地局(BS)送信ビームおよび対応するUE受信ビームを含む、手段と、
前記BPLの前記UE受信ビームの関数である疑似コロケーション(QCL)インジケータまたはタグを導出するための手段と、前記導出されたQCLインジケータで前記BPLにタグ付けするための手段と、
前記タグ付けされたBPLに関連する1つまたは複数のアクションを行うための手段と
を含む、装置。
【請求項１５】
基地局(BS)によるワイヤレス通信のための装置であって、
ビームペアリンク(BPL)の指示を送信するための手段であって、
前記BPLが、BS送信ビームおよび対応するユーザ機器(UE)受信ビームを含む、手段と、
前記BPLに割り当てられた疑似コロケーション(QCL)インジケータまたはタグの指示を受信するための手段であって、
前記QCLインジケータまたはタグは、前記UE受信ビームの関数である、手段と、
前記タグ付けされたBPLに関連する1つまたは複数のアクションを行うための手段と
を含む、装置。